(57)【要約】【課題】係合されている枠等から浮き上がりにくく、かつ、取り付けやすい押縁を備えた建具を提供する。【解決手段】室内外に開口した開口部に設けられる面材と、前記開口部内に設けられた枠部とともに前記面材を挟み、前記面材を室内外方向一方の面側から押さえるための押縁とを備えた建具であって、前記押縁は、前記枠部の前記室内外方向一方の面を覆うカバー部、前記カバー部の室内外方向他方の面側に設けられ、前記面材の面に沿って当該面材の中央側から端部側に移動されることにより前記枠部に係合される第１係合部、前記カバー部の前記移動される移動方向における先端部と前記第１係合部との間に位置させて、前記移動された際に前記枠部に係合される第２係合部、を有する。【選択図】図３
2008169553.tif 000002
【特許請求の範囲】
【請求項１】
室内外に開口した開口部に設けられる面材と、前記開口部内に設けられた枠部とともに前記面材を挟み、前記面材を室内外方向一方側から押さえるための押縁とを備えた建具であって、
前記押縁は、前記枠部の前記室内外方向一方側の面を覆うカバー部、
前記カバー部の室内外方向他方側の面に設けられ、前記面材の面に沿って当該面材の中央側から端部側に移動されることにより前記枠部に係合される第１係合部、
前記カバー部の前記移動される移動方向における先端部と前記第１係合部との間に位置させて、前記移動された際に前記枠部に係合される第２係合部、
を有することを特徴とする建具。
【請求項２】
請求項１に記載の建具であって、
前記押縁は、
前記移動方向における先端部が、前記室内外方向他方側に屈曲しており、
前記第１係合部および前記第２係合部が前記枠部と係合した際に、屈曲している前記先端部と前記枠部とが、前記移動方向に向いた面で面一になることを特徴とする建具。
【請求項３】
請求項１または請求項２に記載の建具であって、
前記移動した際に、前記第１係合部は前記枠部の前記室内外方向一方側に突設された第１係合片に係合され、前記第２係合部は前記枠部の前記室内外方向一方側に突設された第２係合片に係合され、
前記押縁と枠部とが係合前の状態において、前記第１係合片が前記第１係合部より前記移動方向側に位置し、前記第２係合部が前記第１係合片と前記第２係合片との間に位置し、前記先端部が前記第２係合片より前記移動方向側に位置しており、
前記押縁は、前記係合前の状態から前記移動方向へ移動可能であることを特徴とする建具。
【請求項４】
請求項１乃至請求項３のいずれかに記載の建具であって、
前記第１係合片および第２係合片は、前記移動方向と逆方向へ突出した規制片を有しており、
前記第１係合部および第２係合部は、前記移動方向へ突出した規制部を有しており、
前記第１係合片および第２係合片に前記第１係合部および第２係合部が係合した際に、前記規制片が前記規制部の前記室内外方向一方側に位置する
ことを特徴とする建具。
【発明の詳細な説明】
【技術分野】
【０００１】
本発明は、室内外に開口した開口部に設けられる面材と、開口部内に設けられた枠部とともに前記面材を挟み、面材を室内外方向一方の面側から押さえるための押縁とを備えた建具に関する。
【背景技術】
【０００２】
面材を一方の面側から押さえるための押縁を備えた建具としては、押縁の端部を４５°に切断し、切断面同士を突き合わせて留め結合したサッシが知られている（例えば、特許文献１参照）。このようなサッシは、押縁を面材に沿って面材の外方側から中央側に向かって移動させることにより係合せて固定されている。また、押縁は、係合されている枠の一方の外面を覆うように設けられている。
【特許文献１】実公平１−１８７８５号公報
【発明の開示】
【発明が解決しようとする課題】
【０００３】
従来の押縁は、見付け方向において枠の一方の側にて係合されて、枠の他方側の端まで覆うように形成されているので、係合されている部位から他方側の端までの距離が長く、他方側の端が框から浮き上がりやすくなるという課題があった。
【０００４】
本発明は、かかる課題に鑑みてなされたものであり、その目的とするところは、係合されている枠等から浮き上がりにくく、かつ、取り付けやすい押縁を備えた建具を提供することにある。
【課題を解決するための手段】
【０００５】
かかる目的を達成するために本発明の建具は、室内外に開口した開口部に設けられる面材と、前記開口部内に設けられた枠部とともに前記面材を挟み、前記面材を室内外方向一方側から押さえるための押縁とを備えた建具であって、前記押縁は、前記枠部の前記室内外方向一方側の面を覆うカバー部、前記カバー部の室内外方向他方側の面に設けられ、前記面材の面に沿って当該面材の中央側から端部側に移動されることにより前記枠部に係合される第１係合部、前記カバー部の前記移動される移動方向における先端部と前記第１係合部との間に位置させて、前記移動された際に前記枠部に係合される第２係合部、を有することを特徴とする建具である。  
このような建具によれば、枠部における室内外方向一方側の面を覆うカバー部は第１係合部および第２係合部にて枠部に係合されるので、枠部と枠部に係合された押縁により面材を押さえるとともに枠部を覆うことが可能である。また、第２係合部は、第１係合部より先端側に配置されているので、第２係合部が枠部に係合することにより、押縁が枠部から浮き上がることを抑えることが可能である。このため、係合されている枠部から浮き上がりにくく、かつ、取り付けやすい押縁を提供することが可能である。
【０００６】
かかる建具であって、前記押縁は、前記移動方向における先端部が、前記室内外方向他方側に屈曲しており、前記第１係合部および前記第２係合部が前記枠部と係合した際に、屈曲している前記先端部と前記枠部とが、前記移動方向に向いた面で面一になることが望ましい。  
このような建具によれば、第１係合部および第２係合部が枠部と係合した際には、屈曲している先端部と枠部における移動方向に向いた面とが面一となり、押縁と枠部との境界部分に凹凸ができないので、カバー部によりカバーされている室内外方向一方側の面のみならず、枠部の移動方向に向いた面側も美観を高めることが可能である。
【０００７】
かかる建具であって、前記移動した際に、前記第１係合部は前記枠部の前記室内外方向一方側に突設された第１係合片に係合され、前記第２係合部は前記枠部の前記室内外方向一方側に突設された第２係合片に係合され、前記押縁と枠部とが係合前の状態において、前記第１係合片が前記第１係合部より前記移動方向側に位置し、前記第２係合部が前記第１係合片と前記第２係合片との間に位置し、前記先端部が前記第２係合片より前記移動方向側に位置しており、前記押縁は、前記係合前の状態から前記移動方向へ移動可能であることが望ましい。  
このような建具によれば、押縁を枠部に対して移動方向へ移動する際に、第２係合部と第１係合片、及び先端部と第２係合片、とが干渉することなく移動方向への移動を妨げられずに第１係合部を第１係合片と、第２係合部を第２係合片と係合させることが可能である。
【０００８】
かかる建具であって、前記第１係合片および第２係合片は、前記移動方向と逆方向へ突出した規制片を有しており、前記第１係合部および第２係合部は、前記移動方向へ突出した規制部を有しており、前記第１係合片および第２係合片に前記第１係合部および第２係合部が係合した際に、前記規制片が前記規制部の前記室内外方向一方側に位置することが望ましい。  
このような建具によれば、係合状態において、第１および第２係合部の規制部の室内外方向一方側への移動が第１および第２係合片の規制片によって規制されるため、枠部に対する押縁のバタつきを抑制することが可能である。
【発明を実施するための最良の形態】
【０００９】
以下、本発明の一実施形態に係る建具について図面を参照して説明する。  
本実施形態は、図１に示すような、建物の開口を部分的に閉塞し、ガラス３が嵌め付けられたＦＩＸ窓１０と、ＦＩＸ窓１０にて閉塞されない部分を閉塞可能に設けられた移動可能な障子５とを備えた建具としての窓ユニット１の、ＦＩＸ窓１０およびＦＩＸ窓１０が有する押縁２０を例に挙げて説明する。以下の説明においては、窓ユニット１を室外側から見たときに上下となる方向を上下方向、左右となる方向を左右方向または見付け方向、室内外方向（奥行き方向）を見込み方向として示す。
【００１０】
本実施形態のＦＩＸ窓１０は、図１および図２に示すように、例えば室内外に開口した開口部に設けられた矩形状の枠体１１と、ＦＩＸ窓１０にて閉塞される閉塞空間と、障子５により閉塞される開閉空間とを仕切るための縦骨１７とに取り付けられる面材としてのガラス３と、枠体１１および縦骨１７とともにガラス３を挟み、ガラス３の一方側としての室外側からガラス３を押さえるための押縁２０、２１とを有している。本実施形態のガラスは、２枚のガラス板の周縁間にスペーサや封着剤を介在させて、互いに間隔を隔てて対面させた２層構造のガラス３を用いている。
【００１１】
本実施形態では、枠体１１を構成する上枠１２、下枠１３、左右の縦枠１４、１５のうち、上枠１２、下枠１３、右側に位置する縦枠（以下、右縦枠という）１５、および、上枠１２と下枠１３との間に設けられた縦骨１７とにより囲まれた空間が閉塞空間となり、上枠１２、下枠１３、右縦枠１５および、縦骨１７と４つの押縁２０、２１とにてガラス３が保持されてＦＩＸ窓１０が構成されている。そして、枠体１１の見込み方向においてほぼ中央より室外側の領域にＦＩＸ窓１０が設けられ、ほぼ中央より室内側の領域は障子５が移動可能な領域となっている。
【００１２】
枠体１１および縦骨１７における室外側の領域の、上枠１２、下枠１３、右縦枠１５、および、縦骨１７には、見込み方向における他方側としての室内側に、開口部の中央方向に向かって突出され、その開口部を閉塞するように設けられるガラス３の縁部と対面するガラス対面部位１５ａ、１７ａが、各々全長に亘って設けられている。ここで、上枠１２、下枠１３に設けられているガラス対面部材は図示していない。
【００１３】
上枠１２、下枠１３、右縦枠１５、および、縦骨１７の各ガラス対面部位１５ａ、１７ａには、室外側、すなわちガラス３と対面する側にはシール材１６が設けられており、このシール材１６を介してガラス３が当接される。
【００１４】
本発明に係る押縁は、本実施形態では、枠部としての縦骨１７に係合される押縁２１として表されている。このため、以下の説明では、縦骨１７と縦骨１７に係合される押縁２１について説明する。
【００１５】
縦骨１７は、図２、図３に示すように、平断面の外形形状がほぼ長方形状をなす縦骨本体１７ｂと、縦骨本体１７ｂの室内側端部から右縦枠１５側に突出されたガラス対面部位１７ａとを有している。縦骨本体１７ｂは、中空であり、縦骨本体１７ｂとガラス対面部位１７ａとの間に断熱材２４が備えられて一体成形されたアルミニウムの押出成形部材である。
【００１６】
また、縦骨１７の右縦枠１５と対向する面１７ｄの室外側には、押縁２１が挿入される挿入凹部１７ｃが、縦骨１７の長手方向に沿って設けられている。挿入凹部１７ｃは、縦骨１７の右縦枠１５と対向する面１７ｄから凹設されて形成されている。縦骨１７の右縦枠１５と対向する面１７ｄを形成している見込み方向に沿う部位が、挿入凹部１７ｃ側に僅かに突出して係合突起１７ｅが形成されている。
【００１７】
縦骨１７の見込み方向室外側面１７ｆには、見付け方向におけるほぼ中央と、右縦枠１５側の縁部とに、室外側に突出し、突出した先端側が右縦枠１５方向（後述する押縁２１の移動方向と逆方向）に屈曲された係合片が形成されている。ここで、見付け方向の中央側に設けられている係合片が第２係合片１９であり、右縦枠１５側に設けられている係合片が第１係合片１８である。また、第１係合片１８及び第２係合片１９において、ほぼ見付け方向に沿うように設けられている部位が規制片１８ａ、１９ａに相当する。
【００１８】
そして、第１係合片１８は、挿入凹部１７ｃを形成する室外側の壁部を構成しており、係合突起１７ｅと対向する位置に突起１７ｇが設けられている。また、第２係合片１９の、屈曲されて見付け方向に延びる部位の長さは、第１係合片１８の、屈曲されて見付け方向に沿って延びる部位の長さより短く形成されている。
【００１９】
また、縦骨本体１７ｂの左側の縦枠（以下、左縦枠という）１４に向く面１７ｈ（後述する押縁２１の移動方向側に向く面）には、左縦枠１４側に設けられて巻き取り式の網戸２２の先端が保持される保持部１７ｉが設けられているが、縦骨本体１７ｂの左縦枠１４に向く面１７ｈはほぼ面一に形成されている。
【００２０】
縦骨本体１７ｂの見込み方向室内側面１７ｊには、ＦＩＸ窓１０の室内側にて見付け方向に移動する障子５と接触するシール部材３０が設けられている。
【００２１】
ガラス対面部位１７ａは、右縦枠１５側、すなわち先端側の室外側に向く面に、ガラス３が当接されるシール材１６が設けられている。
【００２２】
縦骨１７に係合される押縁２１も、また、アルミニウム製の押出成形部材であり、上下方向に連通する中空部を有し、上下方向のいずれの位置における断面形状も同一形状である。
【００２３】
押縁２１は、平断面形状がほぼ長方形状をなしてガラス３を押さえるためのガラス押さえ部２１ａと、ガラス押さえ部２１ａの室外側の面から繋がり外側面が平坦に形成され縦骨１７の室外側に向く外面を覆うためのカバー部２１ｂと、ガラス押さえ部２１ａの室内側の面２１ｃから繋がりガラス押さえ部２１ａとは見付け方向において反対側に延出され、縦骨１７の挿入凹部１７ｃにおける室内側の係合突起１７ｅと係合される、延出係合部２１ｄとを有している。
【００２４】
ガラス押さえ部２１ａの室内側、すなわちガラス３と対向する側には、ガラス対面部位１７ａと同様のシール材１６が設けられている。
【００２５】
カバー部２１ｂの先端部２１ｅは、押縁２１が縦骨１７に係合された際に、見込み方向室内側（縦骨１７側）に向くように屈曲されている。また、カバー部２１ｂの内面（見込み方向室内側面）、すなわち縦骨１７と対向する側の面２１ｃには、縦骨１７に設けられた第１係合片１８と係合する第１係合部２１ｇと、先端部２１ｅと第１係合部２１ｇとのほぼ中間に位置させて、第２係合片１９と係合する第２係合部２１ｈとが設けられている。そして、第１係合部２１ｇ及び第２係合部２１ｈにおいて、ほぼ見付け方向に沿うように設けられている部位が規制部２１ｐ、２１ｑに相当する。
【００２６】
本実施形態の押縁２１は、以下のようにして縦骨１７に係合される。  
まず、上枠１２、下枠１３、右縦枠１５および縦骨１７の各ガラス対面部位のシール材１６にガラス３が当接されている状態にて、図４（ａ）に示すように、室外側から押縁２１を、押縁２１に設けられているシール材１６をガラス３側に向けてガラス３に近づけていく。図４（ａ）では、４つの押縁のうち縦骨１７に係合される押縁２１のみ示している。
【００２７】
シール材１６がガラス３に当接されると、図４（ｂ）に示すように、押縁２１の先端部２１ｅは縦骨１７の第２係合片１９より左縦枠１４側（後述する押縁２１の移動方向側）に位置し、第２係合部２１ｈは縦骨１７の第１係合片１８と第２係合片１９との間に位置し、第１係合片１８は第１係合部２１ｇより左縦枠１４側（後述する押縁２１の移動方向側）に位置し、縦骨１７の見込み方向室外側面１７ｆに接触する状態となる。
【００２８】
その後、図４（ｂ）に示すように、押縁２１をガラス３の中央部側から左縦枠１４側の端部に向う移動方向に移動させ、押縁２１の延出係合部２１ｄと第１係合部２１ｇとを縦骨１７の係合凹部１７ｃに挿入させる。押縁２１の延出係合部２１ｄと第１係合部２１ｇとを縦骨１７の係合凹部１７ｃに挿入させることにより、第１係合部２１ｇと第１係合片１８とが、また、延出係合部２１ｄと係合突起１７ｅとが係合され、押縁２１が縦骨１７に係止される。このとき、押縁２１がガラス３の室外側の面に沿って移動されることにより、押縁２１の第２係合部２１ｈが縦骨１７の第２係合片１９と係合し、押縁２１の先端部２１ｅの左縦枠１４側の面２１ｍと縦骨１７の左縦枠１４側の面１７ｈとがほぼ面一となる。また、押縁２１の先端部２１ｅの見込み方向室内側の端縁２１ｋは、縦骨１７の見込み方向室外側面１７ｆに当接される。このため、縦骨１７の見込み方向室外側面１７ｆは押縁２１のカバー部２１ｂによって覆われ、室外側からみた場合には、押縁２１と縦骨１７との境界は見えず、あたかも一体にて形成された重厚感のある印象を与えることが可能である。また、左縦枠１４側に向く面１７ｈも、押縁２１の先端部２１ｅとともにほぼ平坦なすっきりとした形状となり、美観に優れたＦＩＸ窓１０を実現することが可能である。
【００２９】
本実施形態の押縁２１によれば、縦骨１７における見込み方向室外側面１７ｆを覆うカバー部２１ｂは第１係合部２１ｇおよび第２係合部２１ｈにて縦骨１７に係合されるので、縦骨１７と縦骨１７に係合された押縁２１によりガラス３を押さえるとともに縦骨１７を覆うことが可能である。このとき、押縁２１はガラス３の中央側から端部側に移動されることにより縦骨１７に係合されるので、押縁２１がガラス３の外側の領域から中央側に向かって移動されることにより縦骨に係合される場合と比較して、押縁２１を取り付けるためにガラス３より外側には空間を必要としない。このため、押縁２１取り付ける際に必要とする空間を小さくすることが可能である。また、第２係合部２１ｈは、第１係合部２１ｇより先端側（押縁２１の移動方向側）に配置されているので、第２係合部２１ｈが縦骨１７に係合されることにより、押縁２１の縦骨１７からの浮き上がりを抑えることが可能である。このため、係合されている縦骨１７から浮き上がりにくく、かつ、取り付けやすい押縁２１を提供することが可能である。
【００３０】
なお、第１係合片１８および第２係合片１９は、移動方向と逆方向へ突出した片（以下、規制片と言う）１８ａ、１９ａを有しており、第１係合部２１ｇおよび第２係合部２１ｈは、移動方向へ突出した片（以下、規制部と言う）２１ｐ、２１ｑを有しており、第１係合片１８および第２係合片１９に第１係合部２１ｇおよび第２係合部２１ｈが係合した際に、規制片１８ａ、１９ａが規制部２１ｐ、２１ｑの見込み方向室外側（室内外方向一方側）に位置する。つまり、係合状態において、第１係合部２１ｇおよび第２係合部２１ｈの規制部２１ｐ、２１ｑの見込み方向室外側への移動が、第１係合片１８および第２係合片１９の規制片１８ａ、１９ａによって規制されるため、縦骨１７からの押縁２１の浮き上がり（見込み方向室外側への浮き上がり）をより確実に抑制することが可能となる。
【００３１】
また、本実施形態の押縁２１によれば、第１係合部２１ｇおよび第２係合部２１ｈが縦骨１７と係合した際には、屈曲している先端部２１ｅの外面２１ｍと、縦骨１７において移動方向に向いた外面１７ｈとが面一となり、押縁２１と縦骨１７との境界部分に凹凸ができないので、カバー部２１ｂによりカバーされている見込み方向室外側面１７ｆのみならず、縦骨１７の移動方向に向いた外面１７ｈ側の美観をも高めることが可能である。
【００３２】
また、第２係合部２１ｈが第１係合片１８と第２係合片１９との間に位置し、第１係合片１８が第１係合部２１ｇよりも移動方向の前方側に位置し、先端部２１ｅが第２係合片１９より移動方向の前方側、すなわち左縦枠１４側に位置した状態において、押縁２１は移動方向へ移動可能なので、押縁２１を移動方向に移動させることにより、第２係合部２１ｈを第２係合片１９と係合させ、かつ、先端部２１ｅの外面２１ｍを縦骨１７の移動方向に向いた外面１７ｈと面一になる位置に至らせることが可能である。そして、押縁２１を移動方向へ移動する際に、第２係合部２１ｈと第１係合片１８、及び先端部２１ｅと第２係合片１９とが干渉することなく移動方向への移動を妨げられずに第１係合部２１ｇを第１係合片１８と係合、第２係合部２１ｈを第２係合片１９と係合させることが可能である。
【００３３】
また、本実施形態においては面材をガラス３としたので、枠体１１および押縁２１は、できるだけ視野を遮ることなく、また、美観を損なうことなく設けられることが望ましい。このため、上記のような押縁２１によれば、縦骨１７の外面１７ｆが押縁２１に覆われて美観に優れた縦骨１７を有するガラス窓を実現することが可能な、ＦＩＸ窓１０および窓ユニット１を提供することが可能である。本実施形態においては、ガラスを複層のガラスとしたが、これに限るものではなく、また、面材をガラスとしたが、面材はガラスに限るものではない。
【００３４】
本実施形態においては、枠部を縦骨として説明したが、上枠、下枠、左右の縦枠のいずれを枠部とし、その枠部に応じた押縁にて上記の構成を実現する形態であっても構わない。さらに、必要に応じて、枠部が障子の框であり、框に応じた押縁により美観に優れた障子およびその障子を備えた建具を提供することが可能である。
【００３５】
また、面材としては、ＦＩＸされた固定面材であっても良く、スライド自在または回動自在な可動面材等であっても良い。
【００３６】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００３７】
【図１】本実施形態に係るＦＩＸ窓を有する窓ユニットを室外側からみた外観図である。
【図２】窓ユニットの平断面図である。
【図３】本実施形態に係る押縁を説明するための図２におけるＡ部の拡大図である。
【図４】図４（ａ）は、押縁をガラス側に近接させる状態を示す図である、図４（ｂ）は、押縁を移動させる様子を説明するための図である。図４（ｃ）は、押縁が縦骨に係止された状態を示す図である。
【符号の説明】
【００３８】
１  窓ユニット、３  ガラス、５  障子、１０  ＦＩＸ窓、１１  枠体、１７  縦骨、１７ｈ  外面、１８  第１係合片、１８ａ  規制片、１９  第２係合片、
１９ａ  規制片、２１  押縁、２１ｂ  カバー部、２１ｅ  先端部、
２１ｇ  第１係合部、２１ｈ  第２係合部、２１ｍ  先端部の外面、２１ｐ  規制部、
２１ｑ  規制部
【図１】
2008169553.tif 000003
【図２】
2008169553.tif 000004
【図３】
2008169553.tif 000005
【図４】
2008169553.tif 000006